(57)【要約】【課題】指定した色をガマット内に調整する際に、過去に調整した履歴を取得し、過去の調整における影響を表示して、プロファイル作成における色調整を効率化する仕組みを提供すること。【解決手段】色変換するためのプロファイルを調整するプロファイル調整装置は、調整するプロファイルを読み込み（プロファイル読込）、プロファイルを調整するために用いられる画像を読み込み（画像読込）、読み込まれた画像を用いて、プロファイルの出力値を変更し、変更した出力値と、出力値変更で用いられた画像を対応付けて記憶し、また、他の画像を読み込み、プロファイルの出力値を変更する場合に、先に記憶された出力値に関する変更がされるか否かを判定し（変更判定）、変更がされると判定された場合に、記憶された出力値に関する変更がされる箇所を、記憶された画像上で識別表示する。【選択図】図６
2014039083.tif 000002
【特許請求の範囲】
【請求項１】
色変換するためのプロファイルを調整するプロファイル調整装置であって、
調整するプロファイルを読み込むプロファイル読込手段と、
前記プロファイルを調整するために用いられる画像を読み込む画像読込手段と、
前記画像読込手段で読み込まれた画像を用いて、前記プロファイルの出力値を変更する変更手段と、
前記変更手段で変更した出力値と、前記変更手段で用いられた画像を対応付けて記憶する記憶手段と、
前記画像読込手段で他の画像を読み込み、前記変更手段で前記プロファイルの出力値を変更する場合に、前記記憶手段で記憶された出力値に関する変更がされるか否かを判定する変更判定手段と、
前記変更判定手段で、変更がされると判定された場合に、前記記憶手段で記憶された出力値に関する変更がされる箇所を、前記記憶手段で記憶された画像上で識別表示する識別表示手段と
を備えることを特徴とするプロファイル調整装置。
【請求項２】
前記他の画像を用いて前記変更手段で変更した出力値を用いて出力された前記記憶手段で記憶した画像と、前記他の画像を用いて前記変更手段で変更した出力値を用いて出力された前記他の画像とを対比表示する対比表示手段
を更に備えることを特徴とする請求項１に記載のプロファイル調整装置。
【請求項３】
前記対比表示手段は、前記記憶手段で記憶された出力値を用いて出力された前記記憶手段で記憶した画像と、前記記憶手段で記憶された出力値を用いて出力された前記他の画像とを対比表示することを特徴とする請求項２に記載のプロファイル調整装置。
【請求項４】
前記記憶手段で記憶された出力値を優先する場合に、前記記憶手段で記憶された出力値が変更されないようにロックするロック手段を更に備え、
前記識別表示手段は、前記ロック手段でロックされた出力値に対応する箇所を、前記記憶手段で記憶された画像上で識別表示することを特徴とする請求項３に記載のプロファイル調整装置。
【請求項５】
前記他の画像を用いて前記変更手段で変更した出力値を優先する場合に、前記ロック手段でロックした出力値を解除するロック解除手段と、
前記他の画像を用いて前記変更手段で変更した出力値を用いて前記プロファイルのデータを修正する修正手段と
を備えることを特徴とする請求項４に記載のプロファイル調整装置。
【請求項６】
色変換するためのプロファイルを調整するプロファイル調整装置の処理方法であって、
前記プロファイル調整装置が、
調整するプロファイルを読み込むプロファイル読込ステップと、
前記プロファイルを調整するために用いられる画像を読み込む画像読込ステップと、
前記画像読込ステップで読み込まれた画像を用いて、前記プロファイルの出力値を変更する変更ステップと、
前記変更ステップで変更した出力値と、前記変更ステップで用いられた画像を対応付けて記憶する記憶ステップと、
前記画像読込ステップで他の画像を読み込み、前記変更ステップで前記プロファイルの出力値を変更する場合に、前記記憶ステップで記憶された出力値に関する変更がされるか否かを判定する変更判定ステップと、
前記変更判定ステップで、変更がされると判定された場合に、前記記憶ステップで記憶された出力値に関する変更がされる箇所を、前記記憶ステップで記憶された画像上で識別表示する識別表示ステップと
を実行することを特徴とする処理方法。
【請求項７】
色変換するためのプロファイルを調整するプロファイル調整装置のプログラムであって、
前記プロファイル調整装置を、
調整するプロファイルを読み込むプロファイル読込手段と、
前記プロファイルを調整するために用いられる画像を読み込む画像読込手段と、
前記画像読込手段で読み込まれた画像を用いて、前記プロファイルの出力値を変更する変更手段と、
前記変更手段で変更した出力値と、前記変更手段で用いられた画像を対応付けて記憶する記憶手段と、
前記画像読込手段で他の画像を読み込み、前記変更手段で前記プロファイルの出力値を変更する場合に、前記記憶手段で記憶された出力値に関する変更がされるか否かを判定する変更判定手段と、
前記変更判定手段で、変更がされると判定された場合に、前記記憶手段で記憶された出力値に関する変更がされる箇所を、前記記憶手段で記憶された画像上で識別表示する識別表示手段
として機能させることを特徴とするプログラム。
【発明の詳細な説明】
【技術分野】
【０００１】
プロファイルを調整するためのプロファイル調整装置とその処理方法及びプログラムに関する。
【背景技術】
【０００２】
カラープロファイルの調整において、指定色が印刷装置のガマットの範囲外にある場合に、指定色をガマット内部にマッピングする必要がある。
【０００３】
従来、指定色が印刷装置のガマットの範囲外にある場合に、複数パターンのマッピングを実施することにより色再現がどのように変化するかを簡単に識別することができる色情報装置及びそのプログラムの技術がある。（特許文献１）
【先行技術文献】
【特許文献】
【０００４】
【特許文献１】特開２０１１−６１５４２号公報
【発明の概要】
【発明が解決しようとする課題】
【０００５】
指定色が複数ある場合には、それぞれの指定色をガマット内部にマッピングする必要がある。しかしながら、指定色同士の位置が近い場合、それらの色は互いに影響を受けてしまい、狭いガマット内部において複数の指定色を同時に理想の色彩に近付けることは困難である。
【０００６】
そこで本発明は、指定した色をガマット内に調整する際に、過去に調整した履歴を取得し、過去の調整における影響を表示して、プロファイル作成における色調整を効率化する仕組みを提供することを目的とする。
【課題を解決するための手段】
【０００７】
本発明の目的を達成するための色変換するためのプロファイルを調整するプロファイル調整装置であって、調整するプロファイルを読み込むプロファイル読込手段と、前記プロファイルを調整するために用いられる画像を読み込む画像読込手段と、前記画像読込手段で読み込まれた画像を用いて、前記プロファイルの出力値を変更する変更手段と、前記変更手段で変更した出力値と、前記変更手段で用いられた画像を対応付けて記憶する記憶手段と、前記画像読込手段で他の画像を読み込み、前記変更手段で前記プロファイルの出力値を変更する場合に、前記記憶手段で記憶された出力値に関する変更がされるか否かを判定する変更判定手段と、前記変更判定手段で、変更がされると判定された場合に、前記記憶手段で記憶された出力値に関する変更がされる箇所を、前記記憶手段で記憶された画像上で識別表示する識別表示手段とを備えることを特徴とする。
【発明の効果】
【０００８】
本発明によれば、指定した色をガマット内に調整する際に、過去に調整した履歴を取得し、過去の調整における影響を表示して、プロファイル作成における色調整を効率化することができる。
【図面の簡単な説明】
【０００９】
【図１】情報処理装置のハードウェア構成の一例を示すブロック図である。
【図２】プロファイル作成処理の全体のフローチャート（１）である。
【図３】プロファイル作成処理の全体のフローチャート（２）である。
【図４】ＬＵＴロック確認のフローチャートである。
【図５】画像への影響範囲表示のフローチャートである。
【図６】画像への影響範囲を表示する画面を示すイメージ図である。
【図７】ＬＵＴ保存ファイルの一例を示す図である。
【図８】仮ＬＵＴファイルの一例を示すデータ図である。
【図９】履歴ファイルの一例を示すデータ図である。
【図１０】調整画面を示すイメージ図である。
【図１１】ステータス画面を示すイメージ図である。
【発明を実施するための形態】
【００１０】
以下、図面を参照して、本発明の実施形態を詳細に説明する。
図１は、カラープロファイル調整装置に適用可能な情報処理装置のハードウェア構成の一例を示すブロック図である。
【００１１】
図１において、１０１はＣＰＵで、システムバス１０４に接続される各デバイスやコントローラを統括的に制御する。また、ＲＯＭ１０２あるいは外部メモリ１１１には、ＣＰＵ１０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１２】
１０３はＲＡＭで、ＣＰＵ１０１の主メモリ、ワークエリア等として機能する。ＣＰＵ１０１は、処理の実行に際して必要なプログラム等をＲＯＭ１０２あるいは外部メモリ１１１からＲＡＭ１０３にロードして、該ロードしたプログラムを実行することで各種動作を実現するものである。
【００１３】
また、１０５は入力コントローラで、キーボード（ＫＢ）１０９や不図示のマウス等のポインティングデバイス等からの入力を制御する。１０６はビデオコントローラで、ＣＲＴディスプレイ（ＣＲＴ）１１０等の表示器への表示を制御する。なお、図１では、ＣＲＴ１１０と記載しているが、表示器はＣＲＴだけでなく、液晶ディスプレイ等の他の表示器であってもよい。これらは必要に応じて管理者が使用するものである。
【００１４】
１０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ１１１へのアクセスを制御する。
【００１５】
１０８は通信Ｉ／Ｆコントローラで、ネットワーク（例えば、図１に示したＬＡＮ６００）を介して外部機器と接続・通信するものであり、ネットワークでの通信制御処理を実行する。例えば、ＴＣＰ／ＩＰを用いた通信等が可能である。
【００１６】
なお、ＣＰＵ１０１は、例えばＲＡＭ１０３内の表示情報用領域へアウトラインフォントの展開（ラスタライズ）処理を実行することにより、ＣＲＴ１１０上での表示を可能としている。また、ＣＰＵ１０１は、ＣＲＴ１１０上の不図示のマウスカーソル等でのユーザ指示を可能とする。
【００１７】
本発明を実現するための後述する各種プログラムは、外部メモリ１１１に記録されており、必要に応じてＲＡＭ１０３にロードされることによりＣＰＵ１０１によって実行されるものである。さらに、上記プログラムの実行時に用いられる定義ファイル及び各種情報テーブル等も、外部メモリ１１１に格納されており、これらについての詳細な説明も後述する。
さらに、本実施形態で用いるフォーム、各種データ、設定ファイル等についても外部メモリ１１１や不図示のデータベースに格納されている。
次に、図２〜図５を用いて、本実施形態におけるプロファイル作成処理について説明する。なお、各ステップは、ＣＰＵ１０１によって処理を実行する。
図２と図３は、プロファイル作成処理の全体のフローチャートである。
【００１８】
ステップＳ２０１では、ユーザーにより今回調整するプロファイルである、調整用プロファイルのファイルを指定する。また指定された調整用プロファイルを入力する。調整用プロファイルとは、各デバイス間での色表示を合わせるために使われる、色を変換するためのテーブル（ＬＵＴ情報）が記述されたファイルである。
【００１９】
ステップＳ２０２では、調整用プロファイルを作成するために用いる、調整用の画像ファイルを指定する。また指定された画像ファイルを入力する。調整用の画像ファイルとは、この後のステップで色味を調整する際に用いられる。
【００２０】
ステップＳ２０３では、調整ルーチンに入る。この調整ルーチンでは、ＬＵＴの出力ＲＧＢ値を変更することによって、プリンタから出力する色味を変更するテーブルを調整する。この調整により、プロファイルの入力ＲＧＢ値に対する出力ＲＧＢ値が変更され、同じ画像データでもプリンタから出力される印刷物の色味が変わる。すなわち、この調整によってＬＵＴを変更し、出力物を期待した色味となるようにすることができる。
ステップＳ２０４では、ユーザーの操作によって調整する色の入力を受け付ける。調整する色の入力に関しては図１０の画面で受け付ける。
図１０は、調整画面を示すイメージ図である。
【００２１】
図１０は、ステップＳ２０２で取り込んだ画像ファイルの画像が調整前の画像として表示されている。この画像のドットをクリックすると、クリックしたドットに対する入力ＲＧＢ値、出力ＲＧＢ値が表示され、この出力ＲＧＢの値をほかの値に変更し確定する。変更量に係数がかけられ、ＬＵＴ上で、調整を実施した入力ＲＧＢ値の周囲の点が補完演算を用いて変更される。変更後の新しい出力ＬＵＴは画面の数値ウィンドウ、３Ｄガマットに表示される。
【００２２】
ステップＳ２０５では、ステップＳ２０４で変更を指示されたＬＵＴ中のレコードに対して、ロックがかかっているかを確認する。詳細な説明は、図４を用いて説明する。
図４は、図２のステップＳ２０５「ＬＵＴロック確認」の詳細フローである。
【００２３】
ＬＵＴロック確認は、一度調整を実施した箇所で、その部分の色味が確定した場合、これ以上そこの部分の色味に関して変更を加える必要が無い、また加えてはいけないので、そこの部分をあえてそれ以上調整させないようにする処理である。
【００２４】
ステップＳ４０１では、色味を変更したいＬＵＴのレコードの中に、ロックされているレコードが存在するかどうかを判断する。現在調整をしたレコードの入力ＲＧＢが、調整履歴ファイル内に存在し、かつその入力ＲＧＢ値に対する出力ＲＧＢ値が一致するかどうかを確認する。一致するレコードが存在しない場合、そのままＥＮＤまで進む。存在する場合はステップＳ４０２へ進む。
【００２５】
ステップＳ４０２は、履歴ファイル中で、ロックされているレコードと同じ入力ＲＧＢ値のレコードを探索する。ロックされているレコードと同じ入力ＲＧＢ値をもつ履歴調整レコードがあった場合、該調整レコードの行を図１１のステータス画面上で点滅表示させる。
ステップＳ４０３は、ユーザの操作によって、ロックされているレコードも変更するかを判断する。
【００２６】
変更するが選択された場合はステップＳ４０４へ進む。変更しないが選択された場合はステップＳ４０５へと進む。なお、ロックされているレコードを変更することは、一度決めた色味を変更するということである。
ステップＳ４０４では、今回調整を実施している入力ＲＧＢ値があるレコード（図７のＬＵＴ保存ファイル）のロックを全て解除する。
【００２７】
ステップＳ４０５では、ユーザーの操作により、今回の調整でロックされていないレコードだけを変更するかを判断する。変更するが選択された場合はステップＳ４０７へ、変更しないが選択された場合は、Ｓ４０６へ進む。なお、ロックされていないレコードだけを変更することは、変更した色味の近くの色でロックされているレコードを変更せずに、ロックされていないレコードだけを変更するということになるので、近辺の階調が崩れてしまう恐れがあるため、ユーザーによって画像を比較することにより確認をさせる。
【００２８】
ステップＳ４０６では、図７のＬＵＴ保存ファイルのロックフラグに、ＬＵＴロック適用フラグを立てる。ＬＵＴロック適用フラグとは、ステップＳ２０７の判定で使用するフラグである。
ステップＳ４０７では、図１１のステータス画面上で点滅させていたレコードの点滅を停止する。
【００２９】
図２に戻り、ステップＳ２０７では、ステップＳ２０５内で判定されたＬＵＴロック適用フラグの有無を確認する。ＬＵＴロック適用フラグが有る場合、Ｓ２０６へ進み、無い場合はＳ２０８へ進む。
【００３０】
ステップＳ２０６では、ステップＳ２０５で判定されたＬＵＴロック適用フラグを図７のロックフラグから削除してステップＳ２０４へ戻り、再度調整を実施する。
【００３１】
ステップＳ２０８では、図７のＬＵＴ保存ファイル内にてロックフラグがたっていないＬＵＴ情報（レコード）を、調整結果に伴う出力ＲＧＢ値に変更し、図８の仮ＬＵＴ保存ファイルに保存する。ロックフラグがたっているＬＵＴ情報（レコード）に関しては、調整前の出力ＲＧＢ値で図８の仮ＬＵＴ保存ファイルに保存する。調整の結果変更の無いレコードもそのままの出力ＲＧＢ値で仮ＬＵＴ保存領域に保存する。
【００３２】
ステップＳ２０９では、調整に使用した画像を、仮ＬＵＴ保存領域の出力ＲＧＢ値を用いて色調整して表示する。これは、ユーザーが調整前と調整後の色味の違いを画面にて目視でどれだけの差異があるのかを判断するためである。調整前の調整用プロファイルと、調整後の調整用プロファイルを使用して、Ｓ２０２で入力した画像を表示させることによって、意図した調整がされているかを画面上で確認することが可能である。
【００３３】
ステップＳ２１０では、図９の履歴ファイルより、以前の調整履歴を読みだす。履歴ファイルより読みだすデータは、調整によって影響を受けた（変更される）格子点ＬＵＴの入力ＲＧＢ値である。この情報は、ステップＳ２１１で使用する。
【００３４】
ステップＳ２１１では、以前の調整履歴と今回調整したもの入力ＲＧＢ値を比較する。読み出した調整履歴と、今回の調整によって影響を受けた格子点ＬＵＴの入力ＲＧＢ値を一つずつ比較する。出力ＲＧＢ値に差異のあるものは、今回の調整によって影響を受けたレコードである。今回の調整によって影響を受けたレコードは、その箇所を記憶しておく。これは、一度調整したものが影響を受けているかどうかを比較するために記憶しておく。
【００３５】
ステップＳ２１２では、ＬＵＴの同一入力ＲＧＢ値テーブルの箇所で出力ＲＧＢ値が一つでも異なるものがあるかどうかを判断する。つまり、今回の調整によって影響を受けたレコードがあるかどうかを判断する処理である。Ｓ２１１によって記憶された箇所が一つでもある場合、影響範囲アラート出力するため、ステップＳ２１３に進む。ステップＳ２１１によって記憶された箇所が無い場合、影響範囲アラートを出力せずにステップＳ２１５へ進み、履歴ファイルを保存する。
【００３６】
ステップＳ２１３では、図６の画面で画像への影響範囲を表示する。この部分に関する詳細を図５を用いて説明する。これにより、ユーザーは今回の調整によって影響を受けた箇所を画面から確認することが可能である。また、この画面で「印刷」ボタンを押下することにより、その画面の色味で印刷することが可能で、紙媒体でも同様に画像への影響状況を確認することが可能である。
図５は、図３のステップＳ２１３の「画像への影響状況を表示」の詳細のフローである。
【００３７】
ステップＳ５０１では、図１１のステータス画面上で、出力ＲＧＢが一致したレコードを点滅させる。つまり、Ｓ２１２で発見した出力ＲＧＢ値と紐づく調整レコードの行を点滅させる。これは、ユーザーに視覚的に、今回の調整により、過去の調整が影響したのかを示すためである。
【００３８】
ステップＳ５０２では、今回の調整と重なった調整レコードの画像（例えば、山の風景の画像）を、図９の調整画像のパスに従って取得し、今回の調整の画像（現在調整している画像、例えば川の流れの画像）と共に図６の（１）へ表示させる。
ステップＳ５０３では、ステップＳ５０２で表示させた画像１ドットずつ画像全体の探索するため処理を繰り返す。
ステップＳ５０４では、画像中全ドットに関して、Ｓ２１２で発見した調整レコードの入力ＲＧＢ値を使用して色を構成しているものかどうかをチェックする。
【００３９】
ステップＳ５０５では、ステップＳ５０４にてチェックした結果、入力ＲＧＢ値と一致したドットを点滅させて表示させる。一致しなかったドットについては、点滅表示せず、通常表示のままとする。
【００４０】
ステップＳ５０３〜Ｓ５０５までの処理を繰り返すことにより、今回の調整結果で画像のどの辺の色味に関して今回の調整が影響しているかをユーザーが視覚的に確認することが可能となる。
【００４１】
次に、図６の（２）〜（４）でどのような調整とするかを選択させるために、複数の調整による画像を提示する。ステップＳ５０６では、今回調整による出力ＲＧＢ値によって変更された今回の調整と重なった調整レコードの画像（例えば、山の風景の画像）と、今回調整による出力ＲＧＢ値によって変更された今回の調整の画像（現在調整している画像、例えば川の流れの画像）を（２）の画像位置に縦に表示する。
ステップＳ５０７では、ステップＳ３０６で表示された画像位置の下に、今回変更された出力ＲＧＢ値による３Ｄガマットを表示する。
【００４２】
ステップＳ５０８では、重なった履歴の出力ＲＧＢ値によって変更された、今回の調整と重なった調整レコードの画像（例えば、山の風景の画像）と、重なった履歴の出力ＲＧＢ値によって変更された、今回の調整の画像（現在調整している画像、例えば川の流れの画像）を（３）の画像位置に縦に表示する。重なった履歴の出力ＲＧＢ値は、現在仮ＬＵＴ保存領域に入っているＬＵＴに対し、入力ＲＧＢ値をキーとして今回重なった調整レコードの入力ＲＧＢ値に対する出力ＲＧＢ値を置き換えたものを使用する。
【００４３】
ステップＳ５０９では、（３）の画像位置の下に重なった履歴の出力ＲＧＢ値による３Ｄガマットを表示する。重なった履歴の出力ＲＧＢ値はステップＳ５０８で使用した値を用いて表示する。
ステップＳ５１０では、今回調整分と、重なった履歴の同じ入力ＲＧＢ値に対する出力ＲＧＢ値の中央の値を計算する。
【００４４】
ステップＳ５１１では、計算した中央値の出力ＲＧＢ値をすタップＳ５０８やステップＳ５０９で使用したＬＵＴの値と置き換え、このＬＵＴを用いて調整された画像（例えば、山の風景の画像）と、このＬＵＴを用いて調整された今回の調整の画像（現在調整している画像、例えば川の流れの画像）を（４）の位置に縦に表示する。
【００４５】
ステップＳ５１２では、（４）の画像位置の下に計算結果の出力ＲＧＢ値（中央値）による３Ｄガマットを表示する。計算結果の出力ＲＧＢ値はステップＳ５１１で使用したものである。
【００４６】
図３のフローチャートに戻り、ステップＳ２１４では、画像への影響状況表示でのユーザーの選択によって分岐する。図６の（２）「今回調整分」か（４）「折衷案」がユーザーにより選択されると、ステップＳ２１５へ進む。図６の（３）「履歴○○番調整分」が選択された場合は、今回の調整は実施されず、ステップＳ２２０へ進む。
【００４７】
ステップＳ２１５では、図９の履歴ファイルの保存を実行する。履歴ファイルを作成する目的は、二つある。一つは、ステップＳ２１４の「画像への影響状況を表示」で、以前の調整に影響があるかどうかを調べる為である。もうひとつは、今までの調整を示す図１１のステータス画面で過去の調整を表示しておくためである。
ステップＳ２１５では、調整結果を履歴ファイルに保存をする。履歴ファイルが存在しない場合、履歴ファイルを作成する。
【００４８】
ここで図９の履歴ファイルについて説明する。
履歴ファイルに保存される内容は以下である。
・調整レコード
・変更に使用した画像のパス
・日時
・調整によって影響を受けた格子点ＬＵＴの入力ＲＧＢ値と出力ＲＧＢ値
【００４９】
調整レコードは、その調整が何番目に調整されたかを表しておくレコードである。調整が追加されるたびにレコードの数が＋１される。つまり、調整レコードで何度目の調整を実施したかを管理している。調整レコードは１レコードにつき一つというユニークなものではなく、数レコードにまたがって同じレコードナンバーが付与される。一度の調整によって変更された入力ＲＧＢ値が複数ある場合、調整レコードに同じナンバーが付与される。入力ＲＧＢ値と調整レコードの２項によって、ユニークとなる。
【００５０】
調整画像のパスは、調整を行った画像へのパスを記録しておく。これにより後で、「画像への影響状況を表示」で過去の調整を参照する際に画像を呼び出して確認することを可能とする。調整レコードと調整画像のパスは必ず同じものになる。たとえば、調整レコードが１で、調整レコードが１での調整画像のパスは「Ｃ：￥ｉｍａｇｅ￥山の風景．ｊｐｇ」ならば、他の行で調整レコード１のものがあった場合も、必ず調整画像のパスは「Ｃ：￥ｉｍａｇｅ￥山の風景．ｊｐｇ」となる。
【００５１】
日時は、調整を行った時間を記録しておく。保存した時間をシステム日時から取得する。これにより、図１０のステータス画面で調整を行った日時を表示する機能に使用する。ここでは、調整レコードと日時は同じとしている。たとえば調整レコードが１で、調整レコードが１での日時は「２０１２／５／１０    １０：３０」であるならば、他の行で調整レコード１のものがあった場合も、必ず日時は「２０１２／５／１０    １０：３０」となる。
【００５２】
調整によって影響を受けた格子点ＬＵＴの入力ＲＧＢ値と出力ＲＧＢ値は、調整した場所の入力ＲＧＢ値、それから調整後の出力ＲＧＢ値を記録しておく。これにより、ステップＳ２１４で画像への影響表示を実施する際、同じ入力ＲＧＢ値に対して調整を実施しているかどうかを判別するのに使用する。また、「入力ＲＧＢ値」が同一であるレコードが同じ「調整レコード」中に存在することはない。
【００５３】
ステップＳ２１６では、調整結果をロックするか否かを判断する。調整結果をロックか否かは、ホップアップウィンドウを表示してユーザーに選択させることで判断される。「ロックする」が選ばれた場合はＳ２１８に進む。「ロックしない」が選ばれた場合は、Ｓ２１７に進む。
【００５４】
ステップＳ２１７では、図７のＬＵＴ保存ファイルへ図７の仮ＬＵＴ保存ファイルの内容を上書き保存する。この時、ロックしないと判定されたため、変更した箇所にロックフラグを立てない。
【００５５】
ステップＳ２１８では、ロックすると判定されたため、変更のあったＬＵＴに対して、ロックフラグを立てながら図７のＬＵＴ保存ファイルへ図６の仮ＬＵＴ保存ファイルの内容を上書き保存する。
【００５６】
ステップＳ２１９では、図１１のステータス画面に、今回の調整の履歴を追加表示する。この履歴は、ステップＳ２１５で保存した図９の履歴ファイルに従って表示される。
【００５７】
図１１の調整レコードには、履歴ファイルの調整レコードが出力される。調整画像には、履歴ファイルの調整画像のパスの末にあるファイル名が出力される。調整した時間には、履歴ファイルの日時が出力される。
【００５８】
ステップＳ２２０では、ユーザーの操作に応じて、調整が終了であるかを判断する。調整が終了であるならば、Ｓ２２１へと進む。まだ調整を実施する場合は、Ｓ２０２まで戻り、調整を再度実施する。ユーザーは調整を再度行うかどうかは、画像への影響状況の表示や、ステータスウィンドウの情報を頼りに判断する。
ステップＳ２２１では、図７のＬＵＴ保存ファイルをもとに、プロファイルを作成し、出力する。なお、本実施形態では、出力の値をＲＧＢ値としたが、ＣＭＹＫの値であってもよい。
【００５９】
以上説明したように、情報処理装置としてのプロファイル調整装置１００は、色変換するためのプロファイルを調整するプロファイル調整装置は、調整するプロファイルを読み込み（プロファイル読込）、プロファイルを調整するために用いられる画像を読み込み（画像読込）、読み込まれた画像を用いて、プロファイルの出力値を変更し、変更した出力値と、出力値変更で用いられた画像を対応付けて記憶し、また、他の画像を読み込み、プロファイルの出力値を変更する場合に、先に記憶された出力値に関する変更がされるか否かを判定し（変更判定）、変更がされると判定された場合に、記憶された出力値に関する変更がされる箇所を、記憶された画像上で識別表示する。
【００６０】
また、他の画像を用いて変更した出力値を用いて出力された、先に記憶した画像と、他の画像を用いて変更した出力値を用いて出力された他の画像とを対比表示する。
【００６１】
さらに、対比表示は、先に記憶された出力値を用いて出力された、記憶された出力値と対応づく画像と、記憶された出力値を用いて出力された他の画像とを対比表示する。
【００６２】
また、記憶された出力値を優先する場合に、で記憶された出力値が変更されないようにロックし、識別表示は、ロックされた出力値に対応する箇所を、記憶された画像上で識別表示する。
【００６３】
さらに、他の画像を用いて変更した出力値を優先する場合に、ロックした出力値を解除し（ロック解除）、他の画像を用いて変更した出力値を用いてプロファイルのデータを修正する。
【００６４】
以上説明したように、本実施形態によれば、指定した色をガマット内に調整する際に、過去に調整した履歴を取得し、過去の調整における影響を表示して、プロファイル作成における色調整を効率化することができる。
【００６５】
実際の運用において、同系統の指定色をマッピング（調整）する場合は、常に影響範囲を気にしながらマッピングを実施している。具体的には、以前に調整を行った指定色に影響が無いか、その指定色に関連する画像を都度出力し、その影響を確認しており、作業者は確認作業に時間を強いられることになる。
【００６６】
そこで、本実施形態によれば、以前マッピングした指定色に影響が発生した場合、新たに行ったマッピングを優先するか、以前のマッピングに影響が出ないようにマッピングしなおすか、また、その折衷案を用いるかを容易に判断させ、作業者の手間を軽減することができる。
なお、上述した各種データの構成及びその内容はこれに限定されるものではなく、用途や目的に応じて、様々な構成や内容で構成されることは言うまでもない。
【００６７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００６８】
また、本発明におけるプログラムは、図２〜図５に示すフローチャートの処理方法をコンピュータが実行可能なプログラムであり、本発明の記憶媒体は図２〜図５の処理方法をコンピュータが実行可能なプログラムが記憶されている。なお、本発明におけるプログラムは図２〜図５の各装置の処理方法ごとのプログラムであってもよい。
【００６９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００７０】
この場合、記録媒体から読み出されたプログラム自体が本発明の新規な機能を実現することになり、そのプログラムを記憶した記録媒体は本発明を構成することになる。
【００７１】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００７２】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７５】
さらに、本発明を達成するためのプログラムをネットワーク上のサーバ、データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【００７６】
１００  カラープロファイル調整装置
１０１  ＣＰＵ
１０２  ＲＡＭ
１０３  ＲＯＭ
１０４  システムバス
１０５  入力コントローラ
１０６  ビデオコントローラ
１０７  メモリコントローラ
１０８  通信Ｉ／Ｆコントローラ
１０９  キーボード（ＫＢ）
１１０  ＣＲＴ（ディスプレイ）
１１１  外部メモリ
【図１】
2014039083.tif 000003
【図２】
2014039083.tif 000004
【図３】
2014039083.tif 000005
【図４】
2014039083.tif 000006
【図５】
2014039083.tif 000007
【図６】
2014039083.tif 000008
【図７】
2014039083.tif 000009
【図８】
2014039083.tif 000010
【図９】
2014039083.tif 000011
【図１０】
2014039083.tif 000012
【図１１】
2014039083.tif 000013